(57)【特許請求の範囲】
【請求項１】
物品積載用の箱状構造体の一部に取り付けられた積載台支持用の弾性部材と、
前記箱状構造体の上側部分に設けられた案内部と、
前記弾性部材と連結されて、前記案内部を跨ぐ形でこれにガイドされながら物品積載量に応じて移動する積載台支持用の複数の吊下げ部材と、
前記吊下げ部材の一部にこれとは別部材の形で取り付けられて、本来、そこに載せた物品の荷重および、この積載時の当該弾性部材の支持力に基づく位置まで前記箱状構造体の内部空間を上下方向に移動して停止する積載台と、
前記吊下げ部材の前記一部とは別の部分に当該吊下げ部材および前記積載台のそれぞれとは別部材の形で取り付けられて、当該積載台の物品保持用側面として作用する複数の側面形成部材と、
を備えていることを特徴とする物品積載装置。
【請求項２】
前記弾性部材と前記吊下げ部材との間にこれらをつなぐための中間部材を設けた、
ことを特徴とする請求項１記載の物品積載装置。
【請求項３】
前記中間部材として、前記積載台が通過可能な上下動枠を用いた、
ことを特徴とする請求項２記載の物品積載装置。
【請求項４】
物品積載用の箱状構造体の一部に取り付けられた積載台支持用の弾性部材と、
前記箱状構造体の上側部分に設けられた案内部と、
前記弾性部材と連結されて、前記案内部を跨ぐ形でこれにガイドされながら物品積載量に応じて移動する積載台支持用の複数の吊下げ部材と、
前記吊下げ部材にこれとは別部材の形で取り付けられて、本来、そこに載せた物品の荷重および、この積載時の当該弾性部材の支持力に基づく位置まで前記箱状構造体の内部空間を上下方向に移動して停止する積載台と、
前記箱状構造体の上側部分に設けられた取付部と、
前記取付部に、前記吊下げ部材および前記積載台のそれぞれとは別部材であってその下端側部分が当該積載台にとどくような態様で取り付けられて、当該積載台が上下動するときに当該取付部への被取付部は移動せず、少なくとも積載台側の部分は当該上下動に応じて変形することにより、前記積載台の物品保持用側面として作用する側面形成部材と、
を備えていることを特徴とする物品積載装置。
【発明の詳細な説明】
【０００１】
【発明の属する技術分野】
本発明は、積載物品の荷重に応じて積載台が上下に移動する物品積載装置に関し、特に、積載台の側面を当該積載台の上下動と連動する移動部で形成することにより、積載物品の一部がこの側面部分に引っ掛かったようなときにも、積載台が物品の荷重に応じて正常に移動するようにした物品積載装置に関する。
【０００２】
【従来の技術】
図10および図11は従来の物品積載装置を示す説明図であり、図10は積載台の支持構造、図11は底板の下面側をそれぞれ示している。
ここで、31は物品積載装置、32はキャスター、33は底板（コイルスプリング取付部分）、34はフレーム、35は積載台、36は吊り下げ金具、37は枠板、38、38ａ、38ｂはワイヤープーリー、39はワイヤー、39a はワイヤー取付金具、40はコイルスプリング、40ａは固定側端部、40ｂは移動側端部、41はスプリングプーリー、42はフック、43は切替えストッパをそれぞれ示している。
【０００３】
物品積載装置31の外箱は直方体状のもので、その底面の４箇所には移動用のキャスター32が取り付けられている。また、底面に設けた底板33にはワイヤ−39やコイルスプリング40などからなる積載台吊下げ用機構を有している。
【０００４】
外箱の側面は、底面の枠体から所定間隔で起立するフレーム34の間を帆布や不織布等で張着してフレーム34間の間隔よりも小さい物品の落下を防ぐようにし、また、外箱の上面は物品の出し入れのために開口している。
【０００５】
そして、物品積載装置31の内部には、その内周面に沿って上下方向に移動する積載台35が設けられ、この積載台35の四隅には吊り下げ金具36が取り付けられている。また、この吊り下げ金具36に対応するフレーム間には枠板37を設けるとともに、枠板37の内側上下のそれぞれにワイヤープーリー38、38a を取り付けている。
【０００６】
ワイヤー39を下方のワイヤープーリー38a から上方のワイヤープーリー38に巻回するとともに、各ワイヤーの端部を積載台35の対応する吊り下げ金具36にそれぞれ固着することにより、積載台35はワイヤー39によって吊り下げられた状態となっている。
【０００７】
図11に示すように、底板33には２本のコイルスプリング40を配置している。
各コイルスプリング40は、底板33に固着した固定側端部40ａから始まる大径部分と、これに続きスプリングプーリー41で反転して移動側端部40ｂにいたる小径部分とからなっている。
【０００８】
各コイルスプリング40の移動側端部40ｂはフック42に連結され、このフック42からは４本のワイヤ−39がそれぞれワイヤープーリー38ｂ、38ａおよび38を介して積載台35まで延び、吊り下げ金具36に接続されている。
【０００９】
これにより、積載台35に物品を積載したときには、その荷重がワイヤー39を介してコイルスプリング40に伝えられ、積載台35は下方に移動して物品の荷重とコイルスプリング40の弾性力とがバランスする位置で停止し、物品を積載台35から降ろしたときには、コイルスプリング40の弾性力によって積載台は上方に戻っていく。
【００１０】
このように、積載台35の停止位置を積載荷重に応じてバランスさせることにより、物品を積載台35に順次載せていくときの作業高さを物品の積載量とは無関係に略一定の高さ、すなわち物品の積み始めで積載台35が上方に位置しているときも、また所定量の物品が積まれて積載台35がその分だけ下がったときでも同じ高さに設定して、作業者の負担の軽減を図っている。
【００１１】
また、切替えストッパ43の位置を図示のようにして、積載台35に物品を載せたときに各コイルスプリング40の大径部分は変位せずにその小径部分のみが物品の荷重に応じて伸びるようにすることにより、物品の荷重と積載台位置とのバランスを確保できる積載荷重のレンジを小さい方に切り替えている。
【００１２】
【発明が解決しようとする課題】
このように、従来の、箱状構造体の一部に取り付けた弾性部材を介して、当該箱状構造体の内部空間に吊り下げられている積載台が、本来、そこに載せた物品の荷重と、この積載時の前記弾性部材の積載台支持力とに基づいて決まる位置まで下降して停止する物品積載装置では、積載台の側面部分が外箱の方に固定配置されており、物品の積み降ろしに連動して積載台が移動する際、積載台上の物品の一部はこの固定されたフレームと動的に接触することになるので、この動的接触の程度によっては積載台が本来のバランス位置まで移動せずに途中で停止してしまうという問題点があった。
【００１３】
そこで、本発明では積載台の物品保持用の側面を、積載台の上下動と連動する移動部で形成し、積載台の上下動時に積載物品と当該側面とが動的に接触することをできるだけ少なくして、積載物品の荷重と弾性部材による支持力とに基づいて積載台を正常に作動させることを目的とする。
【００１４】
また、その中を積載台が通過可能な上下動枠などの中間部材を設けて、この中間部材と例えば装置底面との間に積載台の上下位置設定用の弾性部材を取り付けるとともに、この中間部材から装置上端側の案内部を経て積載台にいたるまでの所定範囲に移動部を設定することにより、移動部と弾性部材との構造上の直接の関連性をなくして当該移動部の設計自由度を高めることを目的とする。
【００１５】
【課題を解決するための手段】
この課題を解決するため、本発明では次の構成からなる物品積載装置を用いる。
（１）物品積載用の箱状構造体（例えば後述の上枠３７ａ，底板３３，枠板３７）の一部（例えば後述の底板３３）に取り付けられた積載台支持用の弾性部材（例えば後述のスプリング８ａ〜８ｄ）と、
前記箱状構造体の上側部分（例えば後述の枠板３７の上側部分）に設けられた案内部（例えば後述のローラ５）と、
前記弾性部材と連結されて、前記案内部を跨ぐ形でこれにガイドされながら物品積載量に応じて移動する積載台支持用の複数の吊下げ部材（例えば後述のチェーン２，ベルト４）と、
前記吊下げ部材の一部にこれとは別部材の形で取り付けられて、本来、そこに載せた物品の荷重および、この積載時の当該弾性部材の支持力に基づく位置まで前記箱状構造体の内部空間を上下方向に移動して停止する積載台（例えば後述の積載台３５）と、
前記吊下げ部材の前記一部とは別の部分に当該吊下げ部材および前記積載台のそれぞれとは別部材の形で取り付けられて、当該積載台の物品保持用側面として作用する複数の側面形成部材（例えば後述の側板１，帆布６）と、
を備えたものにする。
（２）上記（１）において、
前記弾性部材と前記吊下げ部材との間にこれらをつなぐための中間部材（例えば後述の上下動枠３，棒状の中間部材３ａ）を設ける。
（３）上記（２）において、
前記中間部材として、前記積載台が通過可能な上下動枠（例えば後述の上下動枠３）を用いる。
（４）物品積載用の箱状構造体の一部に取り付けられた積載台支持用の弾性部材（例えば後述のスプリング８ａ〜８ｄ）と、
前記箱状構造体の上側部分に設けられた案内部（例えば後述のローラ５）と、
前記弾性部材と連結されて、前記案内部を跨ぐ形でこれにガイドされながら物品積載量に応じて移動する積載台支持用の複数の吊下げ部材（例えば後述のベルト１５）と、
前記吊下げ部材にこれとは別部材の形で取り付けられて、本来、そこに載せた物品の荷重および、この積載時の当該弾性部材の支持力に基づく位置まで前記箱状構造体の内部空間を上下方向に移動して停止する積載台（例えば後述の積載台３５）と、
前記箱状構造体の上側部分に設けられた取付部（例えば後述の竿状の取付部１４）と、
前記取付部に、前記吊下げ部材および前記積載台のそれぞれとは別部材であってその下端側部分が当該積載台にとどくような態様で取り付けられて、当該積載台が上下動するときにその被取付部は移動せず、少なくともその積載台側の部分は当該上下動に応じて変形することにより、前記積載台の物品保持用側面として作用する側面形成部材（例えば後述の帆布１３）と、
を備えたものにする。
【００１６】
このような構成をとっているので、積載した物品の総重量に応じて積載台とその側面とが共に上下方向に連動し、従来の物品積載装置のように積載台の縁部分に乗っている物品が、（上下動しない）固定側面にいわば引っ掛かった状態となったときに積載台がそこで停止してしまうようなことはない。
【００１７】
また、側板などからなる移動部は、装置上端側部分に設けたローラなどの案内部を経由して移動することにより、積載台の側面としての平坦度を確保した状態でスムーズに上下動する。
【００１８】
また、例えば物品積載装置の底板部分に設けた積載台支持用の弾性部材と積載台との連結に際して上下動枠などの中間部材を介する場合には、積載台の吊り下げ用部材をこの中間部材に各側面ごとに任意の態様で取り付け、そこに側板を設ければよい。
【００１９】
【発明の実施の形態】
図１乃至図９を用いて、本発明の実施の形態を説明する。
図１は、積載状態の物品積載装置（チェーンおよび側板を使用）の外観を示す説明図である。
図２および図３は、図１に対応の物品積載装置の断面図（正面図）であり、図２は未積載状態、図３は積載状態を示している。
図４は、積載台と上下動枠（中間部材）との連結状態を示す説明図である。
図５は、積載台支持用の弾性部材機構を示す説明図である。
図６は、未積載状態の物品積載装置（ベルトおよび帆布を使用）の外観を示す説明図であり、(a) は上面図、(b) は正面図、(c) は側面図を示している。
図７および図８は、袋状帆布を用いた物品積載装置の断面図（正面図）であり、図７は未積載状態、図８は積載状態を示している。
図９は、中間部材として枠形状のものを用いない形式の物品積載装置（チェーンおよび側板を使用）の外観を示す説明図である。
【００２０】
これらの図において、
１は鉄製の側板、1aはその端部、1bはその中央部、
２は後述の上下動枠３と積載台35とを連結して複数の側板が取り付けられるチェーン、2aはその積載台側の端部、2bはその上下動枠側の端部、
３はワイヤー39およびチェーン２の取付部であってその中を積載台35が移動可能な上下動枠（中間部材）、3aは棒状の中間部材、
４は積載台35と上下動枠３とを連結するベルト、4aはその積載台側の端部、4bはその上下動枠側の端部、
５はチェーン２やベルト４を案内するためのローラ、
６は積載台35の側面を構成する帆布、
8a、8b、8c、8dはスプリング（8aと8dとの弾性力は異なる）、8eはスプリング8aの固定端部、8fはスプリング8dの固定端部、
９はスプリング8aと8bを連結したり切り離したりする荷重切替レバー、9aはその操作部、9bはその回転軸、9cはその係合用凸部、
10はスプリング8dと8cを連結したり切り離したりする荷重切替レバー、10a はその操作部、10b はその回転軸、10c はその係合用凸部、
11はスプリング8aと8bのコネクター、11a はその留め具、
12はスプリング8cと8dのコネクター、12a はその留め具、
13は積載台35の側面を構成する帆布、
14は帆布13の取付部、
15は積載台35とワイヤー39を連結するベルト、15a はその積載台側の端部、15b はそのワイヤー側の端部、
31a は物品積載装置31の横幅が広い方の側面、31b は物品積載装置31の横幅が狭い方の側面、
37a は物品積載装置31の上枠、
をそれぞれ示している。他の参照番号の内容はそれぞれ従来例で用いたものと同様である。
【００２１】
図１に示すように、物品積載装置31は物品の出し入れのための開口部を有する略直方体であり、上枠37ａと底板33およびそれを支える四隅の上下方向の枠板37で構成され、底面33には積載台支持用の弾性部材機構（図５参照）を有し、移動用のキャスター32が取り付けられている。
【００２２】
横幅が広い方の各側面31a の上下動枠３と積載台35との間には、両端部および中央部の合計３本のチェーン２が、ローラ５を介して、一方の端部2aを積載台35に取り付け、他方の端部2bを上下動枠３に取り付ける形で配置され、また、このチェーン２に複数の側板１がビス止めされている（図２乃至図４参照）。なお、横幅の狭い方の側面31b には２本のチェーン２が配置されている。
【００２３】
図３乃至図５に示すように、上下動枠３の四隅にはワイヤー39が取り付けられており、これらは枠板37の下部に設けたワイヤープーリー38a および底板33に設けたワイヤープーリー38b に巻回され、その端部はスプリング8a、8b、8c、8dを一つにまとめるフック42にワイヤー取付金具39a で取り付けられている。
【００２４】
スプリング8aの固定側端部8eは底板33に固着するとともに、スプリング8aとスプリング8bはコネクター11に留め具11a で連結され、また、スプリング8dの固定側端部8fは底板33に固着し、スプリング8cと8dはコネクター12に留め具12a で連結されている。
【００２５】
スプリング8bと8cはスプリングプーリー41によってその向きを反転し、双方の端部40b を単一のフック42に掛けた状態でセットされ、荷重切替レバー10、11を作動させていない図５の状態ではこれらのスプリング8a、8b、8c、8dはすべて実効スプリングとなっている。
【００２６】
積載台35は、そこに物品を載せていない状態（図２参照）では、スプリング8a、8b、8cおよび8dの弾性力によって最上位置に吊り下げられており、このとき、チェーン２に取り付けた側板１は積載空間の面ごとに積載台35の方から３枚ほどがローラ５を経て内側に入り込んで積載台35の側面を形成している。
【００２７】
積載台35の上に物品を積載する（図３参照）と、ワイヤー39およびチェーン２で吊り下げられた積載台35はスプリング8a、8b、8c、8dの弾性力に抗して下降し、それにともないローラ５を経て内側に入り込む側板１の個数も増加する。
【００２８】
また、積載した物品を降ろしていくときには、積載台35上の物品荷重が減るにしたがって積載台35は上昇する。同時に側板１も連動して上昇し、ローラ５を経由して外側に順次移動していく。
【００２９】
このように、積載台35上の物品は側板１といっしょに上下動するので、積載された物品の一部が側板１に対して動的に接触しながら移動する、すなわち側板１をこするようなかたちで当該側板に対して相対的に移動することは生じない。
【００３０】
チェーン２の他方の端部2bが取り付けてある上下動枠３は積載台35とは逆方向に移動し、この上下動枠３の中を積載台35が通過する。
【００３１】
荷重切替レバー９、10の操作部９ａ、10ａ（図１、図５および図６参照）の位置を個々に切り換えてそれぞれの係合用凸部９ｃ、10ｃをコネクター11、12の方に移動させ、スプリング8aおよびスプリング8dを選択的に有効／無効状態（変位可能／変位不可能状態）とすることにより、積載台35へ積載可能な総荷重を、
・最大値（スプリング8a、8dがともに無効で、スプリング8b、8cが有効な状態で例えば150kg 重）
・２番目に大きな値（スプリング8aのみが無効で、スプリング8b、8c、8dが有効な状態で例えば120kg 重）
・３番目に大きな値（スプリング8dのみが無効で、スプリング8a、8b、8cが有効な状態で例えば90kg重）
・最小値（スプリング8a、8b、8c、8dのすべてが有効な図５の状態で例えば60kg重）
の４段階に設定することができる。
【００３２】
各スプリングが受ける荷重は、例えば積載台35の50cmの降下時に、
・スプリング8bの単独では85kg重
・スプリング8bとスプリング8aとの直列状態では25kg重
・スプリング8cの単独では65kg重
・スプリング8cとスプリング8dとの直列状態では35kg重
としている。なお、各スプリングの強さはその長さ、径の大きさ、材質などによって設定される。
【００３３】
図５の状態から荷重切替レバー９のみを操作してその回転軸9bを中心に反時計方向に回動させると、その凸部9cがコネクター11に係合してスプリング8aはスプリング8bから実質的に分離された状態となり、スプリング8b、8c、8dだけが積載台35の移動位置のバランス用スプリングとして有効なものとなる。
【００３４】
同じように、図５の状態から荷重切替レバー10のみを操作するとスプリング8a、8b、8cだけが、また、荷重切替レバー９および10の両者を操作するとスプリング8b、8cだけが、それぞれ積載台35の移動位置のバランス用スプリングとして有効なものとなる。
【００３５】
図６では、横幅の広い方の各側面31a の両端部および中央部に、合計３本のベルト４を積載台35と上下動枠３との間にローラ５を介して、一方の端部4aを積載台35に取り付け、他方の端部4bを上下動枠３に取り付ける形で配置し、また、横幅の狭い方の側面31b には２本のベルト４を同様に取り付けている。そしてこのベルト４に帆布６を取り付けている。
【００３６】
積載台35に物品を載せていない状態では、ベルト４に取り付けられた帆布６は積載台35がローラ５よりも下がっている分だけ内側に入り込んでいる。帆布６は、物品の積載にともなう積載台35の上下動と連動して、ローラ５の外側から内側に（積載台35の上動のとき）、またローラ５の内側から外側に（積載台35の下動のとき）移動するので、物品は帆布６に対して動的に接触しながら移動することが少ない。
【００３７】
図７および図８の物品積載装置31では竿状の取付部14に取り付けた帆布13を積載台35の側面として用いている。なお、帆布13は、その下端部を積載台35に取り付けるかたちや、それを袋状にして積載台35に載せるようなかたちのいずれでもよい。
【００３８】
物品積載装置31の四隅の上端部に設けたローラ５にベルト15を巻回し、その一方の端部15ａを積載台35に、また他方の端部15ｂをワイヤー39にそれぞれ取り付けている。ワイヤー39は前述のようにワイヤープーリー38ａを介してスプリング8a、8b、8c、8dに連結される（図５参照）。
【００３９】
図７の積載台35に物品を載せていない状態では、スプリング8a、8b、8c、8dの弾性力によって積載台35は上方に位置し、積載台35の側面部分としての袋状の帆布13はたるんだ状態になっている。
【００４０】
積載台35の上に物品を積載していくと、その荷重に応じてワイヤー39とベルトン２で吊り下げられた積載台35はスプリング8a、8b、8c、8dの弾性力に抗して下降し、それに連動して積載台35上でたるんだ状態となっていた袋状の帆布13は徐々に下方に伸びていく。したがって、積載台上の物品は積載台35とともに下降するが、袋状帆布13に動的に接触することが少ない。
【００４１】
図９の物品積載装置では、図１乃至図４の上下動枠３の代わりに、２つの棒状の中間部材3aを平行状態に設定し、この中間部材3aにチェ−ン２とワイヤー39とを取付けている。この場合、積載台35の物品保持用の側面は２面しか確保できないが、各種の長尺物を積載するときなどには有効である。
【００４２】
なお、積載台35の側面形態は、図示のものに限定されるものではなく、積載台35と連動して上下動するものであればどのようなかたちでもよい。
例えば、ブラインドのように上端の収納部に対して側板を積載台35とともに上下動させたり、ロールスクリーンのように上端のローラ５に巻き取られた布等を積載台に連動して上下動させるようにしてもよい。
【００４３】
また、スチ−ル製や鉄製の側板１、チェーン２を用いれば、例えばダイカスト加工で高温状態（例えば３００°Ｃ）になっている製品などを積載することができる。
【００４４】
【発明の効果】
本発明の物品積載装置は、積載台の物品保持用の側面を積載台の上下動と連動する移動部で形成し、物品を積み卸しの際に、積載台の縁部分に乗っている物品が側面にひっかかって積載台が本来の位置まで移動せずに停止してしまうことがないようにしているので、物品積載時の作業高さは常に略一定に保持され、積載作業者が腰をかがめたり手を上方に無理やり伸ばしたりする必要はなく、積載作業者の負担を確実に低減することができる。
【００４５】
また、積載台の上下位置設定用の弾性部材を上下動枠などの中間部材に取り付けるとともに、この中間部材から装置上端側の案内部を経て積載台にいたる移動部を設定するようにしているので、移動部と弾性部材との構造上の直接の関連性をなくして当該移動部の設計自由度を高めることができる。
【図面の簡単な説明】
【図１】本発明の、積載状態の物品積載装置（チェーンおよび側板を使用）の外観を示す説明図である。
【図２】本発明の、図１に対応の物品積載装置の断面図（正面図）であり、未積載状態を示している。
【図３】本発明の、図１に対応の物品積載装置の断面図（正面図）であり、積載状態を示している。
【図４】本発明の、積載台と上下動枠との連結状態を示す説明図である。
【図５】本発明の、積載台支持用の弾性部材機構を示す説明図である。
【図６】本発明の、未積載状態の物品積載装置（ベルトおよび帆布を使用）の外観を示す説明図であり、(a) は上面図、(b) は正面図、(c) は側面図を示している。
【図７】本発明の、袋状帆布を用いた物品積載装置の断面図（正面図）であり、未積載状態を示している。
【図８】本発明の、袋状帆布を用いた物品積載装置の断面図（正面図）であり、積載状態を示している。
【図９】本発明の、中間部材として枠形状のものを用いない形式の物品積載装置（チェーンおよび側板を使用）の外観を示す説明図である。
【図１０】従来の、物品積載装置を示す説明図である。
【図１１】従来の、積載台支持用の弾性部材機構を示す説明図である。
【符号の説明】
１  ：側板
１ａ：側板の端部
１ｂ：側板の中央部
２  ：チェーン
２ａ：チェーンの積載台側端部
２ｂ：チェーンの上下動枠側端部
３  ：上下動枠（中間部材）
３ａ：棒状の中間部材
４  ：積載台と上下動枠を連結するベルト
４ａ：ベルト４の積載台側の端部
４ｂ：ベルト４の上下動枠側の端部
５  ：ローラ
６  ：帆布
８ａ〜８ｄ
：スプリング
８ｅ、８ｆ
：スプリングの固定端部
９  ：荷重切替レバー
９ａ：荷重切替レバー９の操作部
９ｂ：荷重切替レバー９の回転軸
９ｃ：荷重切替レバー９の係合用凸部
10  ：スプリング8dと8cとの荷重切替レバー
10ａ：荷重切替レバー10の操作部
10ｂ：荷重切替レバー10の回転軸
10ｃ：荷重切替レバー10の係合用凸部
11  ：スプリング8aと8bとのコネクター
11ａ：スプリング8aと8bとのコネクターの留め具
12  ：スプリング8cと8dとのコネクター
12ａ：スプリング8cと8dとのコネクターの留め具
13  ：帆布
14  ：帆布の取付部
15  ：積載台とワイヤーを連結するベルト
15ａ：ベルト15の積載台側の端部
15ｂ：ベルト15のワイヤー側の端部
31  ：物品積載装置
31ａ：物品積載装置の横幅の広い方の側面
31ｂ：物品積載装置の横幅の狭い方の側面
32  ：キャスター
33  ：底板（コイルスプリング取付部分）
34  ：フレーム
35  ：積載台
36  ：吊り下げ金具
37  ：枠板
37ａ：上枠
38〜38ｂ
：ワイヤープーリー
39  ：ワイヤー
40  ：コイルスプリング
40ａ：固定側端部
40ｂ：移動部側端部
41  ：スプリングプーリー
42  ：フック
43  ：切替えストッパ
【図１】
0003836579.tif 000002
【図２】
0003836579.tif 000003
【図３】
0003836579.tif 000004
【図４】
0003836579.tif 000005
【図５】
0003836579.tif 000006
【図６】
0003836579.tif 000007
【図７】
0003836579.tif 000008
【図８】
0003836579.tif 000009
【図９】
0003836579.tif 000010
【図１０】
0003836579.tif 000011
【図１１】
0003836579.tif 000012